(57)【要約】【課題】  光線を凝集し、輝度を高めるフィルムを２つ連接して設置することにより、作業員が組立の際、識別を誤らないようにし、作業労働時間を短縮して構成配置の効率を高めることができる光学フィルムを提供する。【解決手段】  光学フィルム１０は、一体成形の光学フィルムであって、第１シート１２と、第２シート１６と、前記第１シート１２と前記第２シート１６とを連結するために用いられる連接部材２０と、を備えることを特徴とする。前記第１シート１２は第１構造面及び第１相対面を有し、前記第１構造面は複数の第１光学構造を有し、前記第２シート１６は第２構造面及び第２相対面を有し、前記第２構造面は複数の第２光学構造を有する。【選択図】  図３
2006343572.tif 000002
【特許請求の範囲】
【請求項１】
一体成形の光学フィルムであって、
第１シートと、
第２シートと、
前記第１シートと前記第２シートとを連結するために用いられる連接部材と、
を備えることを特徴とする光学フィルム。
【請求項２】
前記第１シートは第１構造面及び第１相対面を有し、前記第１構造面は複数の第１光学構造を有し、前記第２シートは第２構造面及び第２相対面を有し、前記第２構造面は複数の第２光学構造を有することを特徴とする請求項１記載の光学フィルム。
【請求項３】
前記第１光学構造及び前記第２光学構造はプリズムであることを特徴とする請求項２記載の光学フィルム。
【請求項４】
前記プリズムは線形プリズムであり、前記線形プリズムのプリズム線は直線状を呈して延伸し、且つ互いに平行に設置されることを特徴とする請求項３記載の光学フィルム。
【請求項５】
前記プリズムは線形プリズムであり、前記線形プリズムのプリズム線は波状を呈し、且つ互いに隣接して設置されることを特徴とする請求項３記載の光学フィルム。
【請求項６】
連接して一体となる第１シート、第２シート及び連接部材を備える光学フィルムであって、
前記第１シートは第１構造面及び第１相対面を有し、
前記第２シートは前記第１シートの下方に位置し、前記第２シートは第２構造面及び第２相対面を有し、前記第２構造面と前記第１シートの第１相対面とは隣接し、
前記連接部材は第１端部及び第２端部を有し、前記第１端部と前記第１シートとは連接し、前記第２端部と前記第２シートとは連接することを特徴とする光学フィルム。
【請求項７】
前記第１シートの第１構造面は複数の第１プリズムを有し、前記第２シートの第２構造面は複数の第２プリズムを有することを特徴とする請求項６記載の光学フィルム。
【請求項８】
前記第１プリズムは線形プリズムであり、前記第２プリズムは線形プリズムであり、前記第１プリズムのプリズム線と前記第２プリズムの第２プリズム線とは直線状を呈して延伸し、互いに交錯して夾角を形成することを特徴とする請求項７記載の光学フィルム。
【請求項９】
前記夾角は０度から９０度の間にあることを特徴とする請求項８記載の光学フィルム。
【請求項１０】
前記第１プリズムは線形プリズムであり、前記第２プリズムは線形プリズムであり、且つ前記第１プリズムのプリズム線は第１軸方向に沿って波状を呈して延伸し、前記第２プリズムのプリズム線は第２軸方向に沿って波状を呈して延伸し、前記第１軸方向と前記第２軸方向とは交錯して夾角を形成することを特徴とする請求項７記載の光学フィルム。
【請求項１１】
前記夾角は０度から９０度の間にあることを特徴とする請求項１０記載の光学フィルム。
【請求項１２】
前記第１シートと前記第２シートは、構成配置位置決めに供して使用される突起部を少なくとも１つのシートに有することを特徴とする請求項６記載の光学フィルム。
【請求項１３】
前記連接部材は前記第１シート及び前記第２シートに相対し、外部に向かって突出状態を呈し、構成配置位置決めに供して使用されることを特徴とする請求項６記載の光学フィルム。
【請求項１４】
第１光学フィルム及び第２光学フィルムを備え、ダブルスクリーンディスプレイに用いられる光学フィルムユニットであって、
前記第１光学フィルムは一体成形され、
第１構造面及び第１相対面を有する第１シートと、
第２構造面及び第２相対面を有する第２シートと、
前記第１シートと前記第２シートとを連結するために用いられる連接部材とを有し、
前記第２光学フィルムは一体成形され、
第３構造面及び第３相対面を有し、前記第３構造面と前記第１シートの第１相対面とが隣接する第３シートと、
第４構造面及び第４相対面を有し、前記第４構造面と前記第２シートの第２相対面とが隣接する第４シートと、
前記第３シートと前記第４シートとを連結するために用いられる連接部材とを有することを特徴とするダブルスクリーンディスプレイに用いられる光学フィルムユニット。
【請求項１５】
前記第１シートの第１構造面は複数の第１プリズムを有し、前記第３シートの第３構造面は複数の第３プリズムを有することを特徴とする請求項１４記載のダブルスクリーンディスプレイに用いられる光学フィルムユニット。
【請求項１６】
前記第１プリズムは線形プリズムであり、前記第３プリズムは線形プリズムであり、前記第１プリズムのプリズム線と前記第３プリズムのプリズム線とは直線状を呈して延伸し、且つ互いに交錯して夾角を形成することを特徴とする請求項１５記載のダブルスクリーンディスプレイに用いられる光学フィルムユニット。
【請求項１７】
前記第１プリズムは線形プリズムであり、前記第３プリズムは線形プリズムであり、前記第１プリズムのプリズム線は第１軸方向に沿って波状を呈して延伸し、前記第３プリズムのプリズム線は第３軸方向に沿って波状を呈して延伸し、前記第１軸方向と前記第３軸方向とは交錯して夾角を形成することを特徴とする請求項１５記載のダブルスクリーンディスプレイに用いられる光学フィルムユニット。
【請求項１８】
前記第２シートの第２構造面は複数の第２プリズムを有し、前記第４シートの第４構造面は複数の第４プリズムを有することを特徴とする請求項１４記載のダブルスクリーンディスプレイに用いられる光学フィルムユニット。
【請求項１９】
前記第２プリズムは線形プリズムであり、前記第４プリズムは線形プリズムであり、前記第２プリズムのプリズム線と前記第４プリズムのプリズム線とは直線状を呈して延伸し、且つ互いに交錯して夾角を形成することを特徴とする請求項１８記載のダブルスクリーンディスプレイに用いられる光学フィルムユニット。
【請求項２０】
前記第２プリズムは線形プリズムであり、前記第４プリズムは線形プリズムであり、前記第２プリズムのプリズム線は第２軸方向に沿って波状を呈して延伸し、前記第４プリズムのプリズム線は第４軸方向に沿って波状を呈して延伸し、前記第２軸方向と前記第４軸方向とは交錯して夾角を形成することを特徴とする請求項１８記載のダブルスクリーンディスプレイに用いられる光学フィルムユニット。
【請求項２１】
前記夾角は０度から９０度の間にあることを特徴とする請求項１６、１７、１９または２０のいずれか一項記載のダブルスクリーンディスプレイに用いられる光学フィルムユニット。
【発明の詳細な説明】
【技術分野】
【０００１】
本発明は光学ディスプレイのバックライトモジュールに関し、更に詳しく言えば、光線を凝集することができ、輝度を高めることが可能な光学フィルムに関する。
【背景技術】
【０００２】
光学フィルムは緻密且つ細微な構造をなし、通常は光源を増進する効果と利益を得るために用いられる。但し、光学フィルムを使用する際は、判断または構成配置の誤りによって光学フィルムがその作用を発揮できなくならないように、必ず構成の順序と膜表面の向きの問題に対して特別な注意を払わなければならない。
図１は、通常良く見られる輝度増強フィルム（Brightness Enhancement Film, BEF）の光学フィルムのバックライトモジュール構造の一例を示す図である。該バックライトモジュールは導光板（Light Guide Plate）１、拡散シート（Diffuser）２、２つの輝度増強フィルム３、４等の部分を備える。該導光板１は光線の光源を霧状化して均一な表面光源とし、該拡散シート２は導光板１の上方に位置し、且つ光線を散らすように形成して均一に拡散させ、該２つの輝度増強フィルム３、４の表面はそれぞれ複数の並列したプリズム３ａ、４ａを有し、且つ輝度増強フィルム３と輝度増強フィルム４は拡散シート２の上方に順次重ねて設けられ、該２つの輝度増強フィルム３、４はプリズム３ａ、４ａの設置によって、導光板１の光源の効果と利益を増加させるために光線を凝集することが可能となり、バックライトモジュール全体の輝度を高める機能を推進する。
【０００３】
該２つの輝度増強フィルム３、４に集光の効果を十分に発揮させるためには、輝度増強フィルム３と輝度増強フィルム４を構成配置する際、必ず輝度増強フィルム３のプリズム３ａを有する面と、輝度増強フィルム４のプリズム４ａを有する面とを同一方向に向けなければならず、さらにプリズム３ａのプリズム線が延伸する方向と、プリズム４ａのプリズム線が延伸する方向とが夾角を形成するように確保しなければならない。とりわけ、交錯が垂直を呈するようにするのが最も良い。
【発明の開示】
【発明が解決しようとする課題】
【０００４】
しかしながら、目下のところ使用されている輝度増強フィルム３と輝度増強フィルム４は片面タイプの状態で存在しているため、構成時において一度につき一枚の方法によって順次堆積され、構成配置の作業時間をいたずらに増やすだけでなく、構成配置の過程において、作業員が輝度増強フィルム３のプリズム３ａを有する一面と輝度増強フィルム４のプリズム４ａを有する一面とを背中合わせの方法によって設置するという過ちを犯し易くなり、集光効果を十分に発揮できなくさせてしまう。輝度増強フィルム３のプリズム３ａを有する一面と、輝度増強フィルム４のプリズム４ａを有する一面とを確かに同一方向に向けて置いたとしても、プリズム３のプリズム線が延伸する方向とプリズム４のプリズム線が延伸する方向とが平行となるように置く、という誤りがあり、前述の識別の誤りは、既に構成配置が完成したバックライトモジュールを改めて分解し、再作業（rework）の必要を招くことになり、これは構成配置手順の増加、及び無駄な作業時間を生み出すことに他ならない。
【０００５】
上記を鑑みて、本発明者は細かに思索を重ね、さらに多年にわたりバックライトモジュールの開発と製造に従事してきた経験を経て、ついに本発明を生み出すに至った。
本発明の主な目的は、光線を凝集し、輝度を高めるフィルムを２つ連接して設置することにより、作業員が組立の際、識別を誤らないようにし、作業労働時間を短縮して構成配置の効率を高めることができる光学フィルムを提供することである。
【課題を解決するための手段】
【０００６】
上記の目的を達成するために、本発明が提供する光学フィルムは一体成形の第１シート、第２シート及び連接部材を備え、該第１シートは第１構造面（structured surface）と第１相対面（opposing surface）を有し、該第２シートは該第１シートの下方に位置し、且つ第２構造面と第２相対面を有し、該第２構造面と該第１シートの第１相対面とは隣接し、該連接部材は第１端部と第２端部を有し、該第１端部と該第１シートは連接し、該第２端部と該第２シートは連接する。
【発明を実施するための最良の形態】
【０００７】
以下に、本発明の好ましい実施例に基づき説明を続ける。
図２から図４に示すように、本発明の光学フィルムの第１実施例では、光学フィルム１０が一度の裁断成形を経て相互連接して一体となる第１シート１２、第２シート１６及び連接部材２０を有する原材料Ａからなることを示す。
該第１シート１２は長方形を呈し、第１構造面１３（structured surface）、第１相対面１４（opposing surface）及び第１突起部１５を有し、第１構造面１３は複数の線形プリズム１３１としてなる第１光学構造を有し、該線形プリズム１３１のプリズム線１３１ａは直線状に延伸し、且つ互いに平行に設置され、該第１突起部１５は該第１シート１２の長辺の一側より外部に向かって突出して形成される。
【０００８】
第２シート１６もまた、長方形を呈し、且つ第２構造面１７、第２相対面１８及び第２突起部１９を有し、該第２構造面１７は複数の線形プリズム１７１としてなる第２光学構造を有し、該線形プリズム１７１のプリズム線１７１ａは直線状に延伸し、且つ互いに平行に設置され、該第２突起部１９は該第２シート１６の長辺の一側より外部に向かって突出して形成され、さらに第２突起部１９は第１突起部１５と同一でない側に位置する。
【０００９】
該連接部材２０はアーチ形を呈し、第１端部２１と第２端部２２を有し、図３に示すように、該第１端部２１と該第１シート１２は角で連接し、該第２端部２２と該第２シート１６は角で連接する。
上述の光学フィルム１０は複数のプリズム１３１、１７１の構造を有することによって、光線がフィルムの相対面下方から上方へとプリズム１３１、１７１を通過する際、光線の集光の効用を生み出す。よって該光学フィルム１０はまたの名を輝度増強フィルムまたはプリズムシート（prism sheet）と称し、光学ディスプレイのバックライトモジュールとして必要な構成部材の一つである。
【００１０】
光学フィルムの該線形プリズムは、図３、図４に示す以外に、等高方式によって予め設けられた方向に向けてまっすぐに延伸してもよい。それらのプリズムは図５、図６に示す形態のように製造され、プリズム２３を俯瞰する際、目に見えるプリズム２３のプリズム線２３１は直線状で平行に設置され、側面から観察した際、現れたプリズム線２３１は高低の起伏状を以て延伸する。図７にはさらに湾曲の形態を以て設置されたプリズムを掲示している。図８からわかるように、プリズム２４のプリズム線２４１は軸線方向に沿って波状を呈して延伸し、該プリズム２４の高度位置を図９と図１０にさらに掲示している。
【００１１】
以下に、本実施例の光学フィルム１０の構成配置方式を述べる。
まず、図４に示すように、該光学フィルム１０は一度の裁断を経て製造されたものであり、該光学フィルム１０の構成配置前の形態では、第１構造面１３と第２構造面１７が同一方向に向く。
続いて、図１１に示すように、該光学フィルム１０の構成配置過程において、連接部材２０を回転支点とし、且つ第１構造面１３と第２構造面１７が同一方向を向いている状態を維持しながら、同時に第１シート１２と第２シート１６を下方へ引っ張り回転させ、またはそのうち一つのフィルムを固定して動かないようにし、さらにもう一方のフィルムを回転して動かす方式によって、第２シート１６を第１シート１２下方に配置し、且つ第１突起部１５と第２突起部１９が揃う位置まで第１シート１２と第２シート１６を互いに近づける。このとき第２構造面１７と第１相対面１４は隣接し、図１２に示すように、この状態の下での第１シート１２の該プリズム線１３１ａと第２シート１６の該プリズム線１７１ａとは垂直方向に交わって設けられる。この他、第１突起部１５と第２突起部１９は互いに重なり合って揃い、共に位置決め突起部を形成する。また連接部材２０は、相対して重なり合った第１シート１２と第２シート１６から外部に向かって突出してもう一つの位置決め突起部を形成し、前述の各位置決め突起部は後続の構成配置位置決めに使用するために提供される。この部分については後述する。
【００１２】
上述の光学フィルム１０を折り重ねる過程において、もし作業員がその中の一つのフィルムの構造面を反対に設けてしまうと、つまり、第１構造面１３と第２構造面１７が背中合わせに設置される時、第１シート１２と第２シート１６の長短辺、及び第１突起部１５と第２突起部１９は揃わなくなる。このとき、作業員は配置の誤りに気付き、すぐに誤りを修正して、後続の構成配置作業をより順調に運ばせる。もちろん、もし第１シート１２と第２シート１６が共に各辺が等しい正方形の時、作業員は第１突起部１５と第２突起部１９が揃うかどうかを注意するだけでよくなる。よって、本実施例の第１シート１２と第２シート１６は連接方式によって製造されるものであり、構成配置手順が正確か否か、の容易な識別を作業員に提供し、構成配置の効率を高めるという長所を有している。
【００１３】
図１３に示すように、本実施例の光学フィルム１０（輝度増強フィルム）と拡散シート２５及び導光板２６等の構成部材はフレーム２８に共に設置されるよう準備される。前述のフレーム２８は特定部位において、予め第１位置決め溝２８１と第２位置決め溝２８２を有するように形成する。拡散シート２５と導光板２６は本発明の重点ではないため、以下に、光学フィルム１０とフレーム２８の関係についてのみ記述する。
【００１４】
該光学フィルム１０はその第１突起部１５と第２突起部１９が共に第１位置決め溝２８１に落ち込み、さらに連接部材２０が第２位置決め溝２８２に落ち込んだ状態で、スムースにフレーム２８中（図１４参照）に構成配置される。さらに光学フィルム１０は正確な対面方向でプリズムの構造面を維持するように確保する。つまり、第１突起部１５と第２突起部１９、及び連接部材２０がそれぞれ形成した該位置決め突起部は、作業員が正確に構成配置を行う際の手助けとなる効用を有し、構成配置の誤りによって引き起こされる構成配置時の困難を防止する。
【００１５】
上述の構成部材は単一の光学ディスプレイに応用して用いられ、実際の製品需要に応用して増減されるものと見なすことができる。例えば、ダブルスクリーンの光学ディスプレイに適用して用いられる構成部材は、２つの光学フィルム１０、１０’、及び２つの拡散シート２５、２５’と導光板２６を有し、図１５に示すように、構成配置時において光学フィルム１０’と拡散シート２５’はもう一組の光学フィルム１０と拡散シート２５に背中合わせに設置される。特に注意すべきなのは、該２つの光学フィルム１０、１０’の構成配置を便利にするために、該ダブルスクリーンディスプレイに使用するフレーム３０は２つの第１位置決め溝３０１、３０１’と２つの第２位置決め溝３０２、３０２‘を有し、そのうち第１位置決め溝３０１は光学フィルム１０の第１突起部１５と第２突起部１９に嵌合するように提供され、第２位置決め溝３０２は連接部材２０に嵌合するように提供され、さらに該第１位置決め溝３０１’は光学フィルム１０’の第１突起部１５’と第２突起部１９’と嵌合するように提供され、その第２位置決め溝３０２’は連接部材２０’と嵌合するように提供されるということである。
【００１６】
図１６に示すように、本発明の光学フィルムの第２実施例では、光学フィルム３２は同様に、一度の裁断を経て一体に連接する第１シート３４、第２シート３６と連接部材３８を有するように成形され、且つ第１シート３４の第１構造面３４１と第２シート３６の第２構造面３６１とは同一方向を向く。図３と対照すればわかるように、本実施例の光学フィルム３２の構成配置前の形態は前述の第１実施例の光学フィルム１０の形態と同一ではないが、構成配置方式は前述のものと同様であり、すなわち、同様に連接部材３８が回転支点となり、さらにフィルムを下方に引っ張り回転させることによって第１シート３４と第２シート３６を上下に重ねて配置させる。図１７を参照すると、このとき第１シート３４のプリズム線３４１ａと第２シート３６のプリズム線３６１ａとは交錯して夾角θを形成し、夾角θは９０度以下となる。
【００１７】
さらに図１８、図１９は本発明の第３実施例を示し、第１光学フィルム５０と第２光学フィルム６０によって組成される光学フィルムユニット４０がダブルスクリーンディスプレイのバックライトモジュールに使用される場合について掲示している。
該第１光学フィルム５０は一体成形され、第１シート５２、第２シート５４及び２つの連接部材５６を有し、該第１シート５２は第１構造面５２１と第１相対面５２２を有し、該第２シート５４は第２構造面５４１と第２相対面５４２を有し、前述の第１構造面５２１と第２構造面５４１はそれぞれ、複数の線形プリズムをなす第１プリズム５２３と第２プリズム５４３を有する光学構造であり、該第１プリズム５２３のプリズム線５２３ａと該第２プリズム５４３のプリズム線５４３ａは互いに直線状に延伸し、且つ平行に設置される。
【００１８】
該第２光学フィルム６０は同様に一体成形され、第３シート６２、第４シート６４及び２つの連接部材６６を有し、そのうち該第３シート６２は第３構造面６２１と第３相対面６２２を有し、第４シート６４は第４構造面６４１と第４相対面６４２を有し、前述の第３構造面６２１と第４構造面６４１はそれぞれ、複数の線形プリズムをなす第３プリズム６２３と第４プリズム６４３を有する光学構造であり、該第１プリズム６２３のプリズム線６２３ａと該第４プリズム６４３のプリズム線６４３ａは互いに直線状に延伸し、且つ平行に設置される。
【００１９】
該光学フィルムユニット４０は２つの拡散シート７０及び導光板７２において共に構成配置され、使用される際、まず導光板７２を該２つの拡散シート７０の間に安置し、続いて該２つの拡散シート７０と導光板７２を共に第２光学フィルム６０の第３シート６２と第４シート６４の間に設置し、その後、第２光学フィルム６０を再度第１光学フィルム５０の第１シート５２と第２シート５４の間に挿し込み安置する。光学フィルムユニット４０全体としての十分な集光効果を発揮させるため、本実施例では第１光学フィルム５０の該プリズム線５２３ａ、５４３ａと第２光学フィルム６０の該プリズム線６２３ａ、６４３ａとが平行設置を呈さないようにしなければならない。これに基づき、各構成部材が構成配置された後、第３構造面６２１を第１シート５２の第１相対面５２２と対面するようにし、且つ該第３プリズム６２３のプリズム線６２３ａと該第１プリズム５２３のプリズム線５２３ａとを交錯させて夾角を形成し、さらに第４構造面６４１は第２シート５４の第２相対面５４２に対面させ、同様に該第４プリズム６４３のプリズム線６４３ａと第２プリズム５４３のプリズム線５４３ａは交錯させて夾角を形成する。前述の夾角は９０度とするのが最も良い。
【００２０】
上述からわかるように、本実施例の光学フィルムユニット４０では構成配置時において、第１光学フィルム５０によって第２光学フィルム６０を包むようにして挟むことが可能となり、４枚の光学フィルムを重ねて設けなければならず、それがもたらす煩雑さや識別の誤りといった従来の困難を改善するだけでなく、さらに快速に構成配置を完成させるための効果を作業員に提供する。
【００２１】
図２０にダブルスクリーンディスプレイのバックライトモジュールに応用したもう１つの光学フィルムユニット８０を示す。該光学フィルムユニット８０は、同様に第１光学フィルム８２と第２光学フィルム８４を有し、且つ第１光学フィルム８２と第２光学フィルム８４の組立設置方式は上述の光学フィルムユニット４０と同一であり、該光学フィルムユニット８０は光学フィルムユニット４０とおおよそ構造を同じくする。異なる点は、光学フィルムユニット８０の各該光学フィルムのプリズムを波状に延伸して形成したことである。
【００２２】
図２１と図２２は、第１光学フィルム８２と第２光学フィルム８４の折り重ねが完成した状態を示す。
図２１に示すように、第１光学フィルム８２の第１シート８２１と第２光学フィルム８４の第３シート８４１とは互いに隣接して設置され、この状態の下、第１シート８２１の該プリズム８２２のプリズム線８２２ａは第１軸方向Ｌ１に沿って波状を呈して延伸し、第３シート８４１の該プリズム８４２のプリズム線８４２ａは第３軸方向Ｌ３に沿って波状を呈して延伸し、該第１軸方向Ｌ１と、第３軸方向Ｌ３とは交錯し、夾角を形成する。
【００２３】
図２２に示すように、第１光学フィルム８２の第２シート８２３と第２光学フィルム８４の第４シート８４３とは隣接して設けられ、且つ第２シート８２３の該プリズム８２４のプリズム線８２４ａは第２軸方向Ｌ２に沿って波状を呈して延伸し、第４シート８４３の該プリズム８４４のプリズム線８４４ａは第４軸方向Ｌ４に沿って波状を呈して延伸し、該第２軸方向Ｌ２と、第４軸方向Ｌ４とは交錯し、夾角を形成する。
【００２４】
上述の第１軸方向Ｌ１と第３軸方向Ｌ３とが交錯して形成した夾角、及び第２軸方向Ｌ２と第４軸方向Ｌ４とが交錯して形成した夾角の角度は、本実施例中において９０度となるため、該光学フィルムユニット８０が生み出す効用と光学フィルムユニット４０が生み出す効用とは同一となり、よって、特に記述しない。
以下、図２３及び図２４に示すのは、それぞれ一度の截断を経た原材料を利用し、製造して得た第１光学フィルム５０（８２）、あるいは第２光学フィルム６０（８４）を構成設置する前の形態である。そのうち図２３は原材料Ｂが平らに広げられた状態で裁断されることを示す。図２４は原材料Ｃが二つに折り曲げられた後、裁断されることを示し、裁断時において連接部材に対面させないで直接裁断すると、広げた後の２つのフィルムは互いに連接してしまうため、注意しなければならない。
上記に述べたことはあくまでも本発明の好ましい実施例のみであり、本発明の明細書及び特許請求の範囲を応用してなしうる考案の効果や構成の改変は、すべて本発明の請求の範囲に属するものとする。
【図面の簡単な説明】
【００２５】
【図１】従来のバックライトモジュールの基本構造を示す模式図である。
【図２】本発明の第１実施例による光学フィルムの原材料を示す模式図である。
【図３】本発明の第１実施例による光学フィルムを示す模式図である。
【図４】本発明の第１実施例による光学フィルムを示す側面図である。
【図５】本発明の第１実施例による光学フィルムのプリズムを示す模式図である。
【図６】本発明の第１実施例による光学フィルムのプリズムを示す模式図である。
【図７】本発明の第１実施例による光学フィルムのプリズムを示す模式図である。
【図８】本発明の第１実施例による光学フィルムのプリズムを示す模式図である。
【図９】本発明の第１実施例による光学フィルムのプリズムを示す模式図である。
【図１０】本発明の第１実施例による光学フィルムのプリズムを示す模式図である。
【図１１】本発明の第１実施例による光学フィルムを引っ張り回転させた状態を示す模式図である。
【図１２】本発明の第１実施例による光学フィルムの構成配置が完成した状態を示す模式図である。
【図１３】本発明の第１実施例による光学フィルムを単一スクリーンディスプレイに応用して用いた状態を示す模式図である。
【図１４】本発明の第１実施例による光学フィルムとフレームを示す模式図である。
【図１５】本発明の第１実施例による光学フィルムをダブルスクリーンディスプレイに応用して用いた状態を示す模式図である。
【図１６】本発明の第２実施例による光学フィルムを構成配置する前の状態を示す模式図である。
【図１７】本発明の第２実施例による光学フィルムの構成配置が完成した状態を示す模式図である。
【図１８】本発明の第３実施例による光学フィルムユニットを示す模式図である。
【図１９】本発明の第３実施例による光学フィルムユニットをダブルスクリーンディスプレイに応用して用いた状態を示す模式図である。
【図２０】本発明の第３実施例による光学フィルムユニットを示す模式図である。
【図２１】本発明の第３実施例による光学フィルムユニットの積み重ねを完成した後の、第１シートと第３シートのプリズム線の関係を示す模式図である。
【図２２】本発明の第３実施例による光学フィルムユニットの積み重ねを完成した後の、第２シートと第４シートのプリズム線の関係を示す模式図である。
【図２３】本発明の第３実施例による光学フィルムを原材料を裁断して得る状態を示す模式図である。
【図２４】本発明の第３実施例による光学フィルムを原材料を裁断して得る状態を示す模式図である。
【符号の説明】
【００２６】
１０、１０’  光学フィルム、１２  第１シート、１３  第１構造面、１４  第１相対面、１５、１５’  第１突起部、１６  第２シート、１７  第２構造面、１８  第２相対面、１９、１９’  第２突起部、２０、２０’  連接部材、２１  第１端部、２２  第２端部、２３  プリズム、２４  プリズム、２５、２５’  拡散シート、２６  導光板、２８  フレーム、３０  フレーム、３２  光学フィルム、３４  第１シート、３６  第２シート、３８  連接部材、４０  光学フィルムユニット、５０  第１光学フィルム、５２  第１シート、５４  第２シート、５６  連接部材、６０  第２光学フィルム、６２  第３シート、６４  第４シート、６６  連接部材、７０  拡散シート、７２  導光板、８０  第１光学フィルム、８４  第２光学フィルム、１３１  プリズム、１３１ａ  プリズム線、１７１  プリズム、１７１ａ  プリズム線、２３１  プリズム線、２４１  プリズム線、２８１  第１位置決め溝、２８２  第２位置決め溝、３０１、３０１’  第１位置決め溝、３０２、３０２’  第２位置決め溝、３４１  第１構造面、３４１ａ  プリズム線、３６１  第２構造面、３６１ａ  プリズム線、５２１  第１構造面、５２２  第１相対面、５２３  第１プリズム、５２３ａ  プリズム線、、５４１  第２構造面、５４２  第２相対面、５４３  第２プリズム、５４３ａ  プリズム線、６２１  第３構造面、６２２  第３相対面、６２３  第３プリズム、６２３ａ  プリズム線、６４１  第４構造面、６４３ａ  プリズム線、８２１  第１シート、８２２  プリズム、８２２ａ  プリズム線、８２３  第２シート、８２４  プリズム、８２４ａ  プリズム線、８４１  第３シート、８４２  プリズム、８４２ａ  プリズム線、８４３  第４シート、８４４  プリズム、８４４ａ  プリズム線、Ａ、Ｂ、Ｃ  原材料、Ｌ１〜Ｌ４  第１軸方向〜第４軸方向、θ  夾角
【図１】
2006343572.tif 000003
【図２】
2006343572.tif 000004
【図３】
2006343572.tif 000005
【図４】
2006343572.tif 000006
【図５】
2006343572.tif 000007
【図６】
2006343572.tif 000008
【図７】
2006343572.tif 000009
【図８】
2006343572.tif 000010
【図９】
2006343572.tif 000011
【図１０】
2006343572.tif 000012
【図１１】
2006343572.tif 000013
【図１２】
2006343572.tif 000014
【図１３】
2006343572.tif 000015
【図１４】
2006343572.tif 000016
【図１５】
2006343572.tif 000017
【図１６】
2006343572.tif 000018
【図１７】
2006343572.tif 000019
【図１８】
2006343572.tif 000020
【図１９】
2006343572.tif 000021
【図２０】
2006343572.tif 000022
【図２１】
2006343572.tif 000023
【図２２】
2006343572.tif 000024
【図２３】
2006343572.tif 000025
【図２４】
2006343572.tif 000026